(57)【要約】      （修正有）【課題】プリンタ本体に装着された印画紙トレイであっても、その印画紙収納部内に印画紙が収納されているか否か、及び収納されている印画紙の量の多少等を知る。【解決手段】印画紙が取り出し可能に収納される印画紙収納部３３を有する印画紙トレイ４と、この印画紙トレイから印画紙を取り出してその印画紙に印刷を行うプリンタ機構部と、このプリンタ機構部を収納すると共に印画紙トレイが着脱可能に装着されるトレイ収納部２３を有するプリンタ筐体と、を備えて構成されている。印画紙トレイ４は、トレイ収納部への装着時、前面がプリンタ筐体の前面と略同一平面上に配置される前側突出部３１ａを有し、この前側突出部の印画紙収納部３３の高さ以上の高さ位置に、印画紙収納部３３内を外部から透視可能な観察窓３５を設けた。【選択図】図４
2008201054.tif 000002
【特許請求の範囲】
【請求項１】
印画紙が取り出し可能に収納される印画紙収納部を有する印画紙トレイと、
前記印画紙トレイから印画紙を取り出して当該印画紙に印刷を行うプリンタ機構部と、
前記プリンタ機構部を収納すると共に前記印画紙トレイが着脱可能に装着されるトレイ収納部を有するプリンタ筐体と、を備え、
前記印画紙トレイは、前記トレイ収納部への装着時、前面が前記プリンタ筐体の前面と略同一平面上に配置される前側突出部を有し、当該前側突出部の前記印画紙収納部の高さ以上の高さ位置に、当該印画紙収納部内を外部から透視可能な観察窓を設けた
ことを特徴とするプリンタ装置。
【請求項２】
前記印画紙トレイは、上面に開口された印画紙収納部及び当該印画紙収納部の前側に連続されると共に上方に突出された前記前側突出部を有するトレイ本体と、前記印画紙収納部を開閉可能なように前記トレイ本体に軸回動機構を介して回動可能に取り付けられたトレイ蓋体と、を有する
ことを特徴とする請求項１記載のプリンタ装置。
【請求項３】
前記印画紙トレイは、上面に開口された印画紙収納部の前側に連続され且つ上方に突出された前記前側突出部を有するトレイ本体を具え、
前記前側突出部は、前記プリンタ筐体の前面部において前方へ突出するように設けた張出し部と略同一平面となるように形成した
ことを特徴とする請求項１記載のプリンタ装置。
【請求項４】
前記プリンタ筐体の前面部における前記トレイ収納部の上側に、印刷終了後の印画紙を外部に排出する通紙口を設けた
ことを特徴とする請求項１記載のプリンタ装置。
【請求項５】
上面に開口された印画紙収納部及び当該印画紙収納部の前側に連続されると共に上方に突出された前側突出部を有するトレイ本体と、
前記印画紙収納部を開閉可能なように前記トレイ本体に軸回動機構を介して回動可能に取り付けられたトレイ蓋体と、を備え、
前記軸回動機構は、前記トレイ本体及び前記トレイ蓋体の一方に設けた一対の軸部と、前記トレイ本体及び前記トレイ蓋体の他方に設けられ且つ前記一対の軸部と回動可能に係合される一対の軸受穴と、を有し、
前記前側突出部の前記印画紙収納部の高さ以上の高さ位置に、当該印画紙収納部内を外部から透視可能な観察窓を設けた
ことを特徴とする印画紙トレイ。
【請求項６】
前記前側突出部に、前記印画紙収納部を全開した状態の前記トレイ蓋体を支えて全開した状態を維持する蓋体支持部を設け、
前記全開した状態における前記トレイ蓋体の重心位置を、前記軸回動機構の回動中心よりも前側に設定した
ことを特徴とする請求項５記載の印画紙トレイ。
【請求項７】
前記トレイ蓋体は、前記印画紙収納部を覆う平板状のカバー部と、前記カバー部の一側に連続して一面側に突出するように設けたアーム部と、を有し、
前記アーム部と前記前側突出部とに前記軸回動機構を設けた
ことを特徴とする請求項５記載の印画紙トレイ。
【発明の詳細な説明】
【技術分野】
【０００１】
本発明は、撮像装置で撮影したビデオ映像やカメラ画像その他の画像を、いわゆるカラー写真として作成するプリンタ装置及び当該プリンタ装置に用いて好適な印画紙トレイに関するものである。
【背景技術】
【０００２】
従来の、この種のプリンタ装置としては、例えば、特許文献１に記載されているようなものがある。特許文献１には、印画紙の長さを識別して規格外の紙を排除することのできるプリンタに関するものが記載されている。この特許文献１に記載されたプリンタは、「印画紙をプリンタ内へ搬送するローラと、この印画紙がプリンタ内に搬送されたことの有無を検出するセンサとを有するプリンタにおいて、印画紙を搬送する搬送量と、１つのセンサで印画紙の有無を検出する手段により、印画紙の長さを印画紙の給紙段階で検出し、規格外の印画紙を印画動作に入らないようにプリンタ外へ排紙する」ことを特徴としている。
【０００３】
このような構成を有する特許文献１に記載されたプリンタによれば、「プリンタ内における印画紙のジャミングが解消でき、次の印画動作に支障をきたすといった問題が改善でき、信頼性の高いプリンタとなる」（明細書の段落［０１４５］）という効果が期待される。
【特許文献１】特開平６−３４０１３６号公報
【０００４】
一般に、昇華型熱転写方式を用いてカラー印刷を行うプリンタ装置では、印刷時に印画紙を４回往復移動させ、３色を重ね合せると共に、その上に透明ラミネートを塗布することによって１枚の、いわゆるカラー写真を得るようにしている。即ち、昇華型熱転写方式のプリンタ装置では、例えば、まず、第１色目として「イエロー」を印画紙の全面の被写体の色に対応した位置に印刷し、次に、第２色目として「シアン」を印画紙の全面の被写体の色に対応した位置に印刷し、次いで、第３色目として「マゼンタ」を印画紙の全面の被写体の色に対応した位置に印刷し、最後に、透明ラミネートを印画紙の全面に印刷するように構成されている。そのため、１枚の印画紙は、１枚のカラー写真の印刷時には、印画ヘッドの前を４回往復移動することになる。
【０００５】
この印画紙は、通常、印画紙トレイに複数枚まとめて収納されて使用される。この印画紙トレイは、印刷する際にプリンタ本体に装着される。そして、印刷に際して、プリンタ機構部によって印画紙が印画紙収納部から１枚ずつ取り出され、１枚毎に印刷に供されている。このように、従来の印画紙トレイは、プリンタ本体とは全くの別物（装置）として観念されていた。そのため、デザインにおいても、プリンタ本体と印画紙トレイとは、別個独立に考えられており、プリンタ本体から印画紙トレイが飛び出した形となっていて、一体感のあるデザインがなされていなかった。
【発明の開示】
【発明が解決しようとする課題】
【０００６】
解決しようとする問題点は、従来のプリンタ装置では、プリンタ本体と印画紙トレイとは別個独立にデザイン化されており、一体感のあるデザインが行われていないと共に、印画紙トレイの内部を外部から透視することができなかったため、印画紙収納部に収納されている印画紙の有無やその収納量の多少等を知るためには、プリンタ本体から印画紙トレイを取り外す必要がある、という点である。
【課題を解決するための手段】
【０００７】
本発明のプリンタ装置は、印画紙が取り出し可能に収納される印画紙収納部を有する印画紙トレイと、この印画紙トレイから印画紙を取り出してその印画紙に印刷を行うプリンタ機構部と、このプリンタ機構部を収納すると共に印画紙トレイが着脱可能に装着されるトレイ収納部を有するプリンタ筐体と、を備えて構成されている。印画紙トレイは、トレイ収納部への装着時、前面がプリンタ筐体の前面と略同一平面上に配置される前側突出部を有し、この前側突出部の印画紙収納部の高さ以上の高さ位置に、印画紙収納部内を外部から透視可能な観察窓を設けたことを最も主要な特徴とする。
【０００８】
また、本発明の印画紙トレイは、上面に開口された印画紙収納部及びこの印画紙収納部の前側に連続されると共に上方に突出された前側突出部を有するトレイ本体と、印画紙収納部を開閉可能なようにトレイ本体に軸回動機構を介して回動可能に取り付けられたトレイ蓋体と、を備えて構成されている。軸回動機構は、トレイ本体及びトレイ蓋体の一方に設けた一対の軸部と、トレイ本体及びトレイ蓋体の他方に設けられ且つ一対の軸部と回動可能に係合される一対の軸受穴と、を有し、前側突出部の印画紙収納部の高さ以上の高さ位置に、印画紙収納部内を外部から透視可能な観察窓を設けたことを特徴とする。
【発明の効果】
【０００９】
本発明のプリンタ装置及び印画紙トレイによれば、印画紙トレイをプリンタ本体に対して着脱可能に組み込む構成とすることにより、印画紙トレイをプリンタ本体の一部としてデザイン化することができ、新しいデザイン形態のプリンタ装置を提供できる。更に、プリンタ本体に装着されたままの印画紙トレイであっても、その印画紙収納部内に印画紙が収納されているか否か、及び収納されている印画紙の量の多少等を知ることができる。
【発明を実施するための最良の形態】
【００１０】
プリンタ筐体にトレイ収納部を設けると共に、印画紙トレイの前側突出部における印画紙収納部の高さ以上の位置に観察窓を設けることにより、プリンタ本体と印画紙トレイのデザインの一体化を図ることができると共に、プリンタ本体に装着されたままの印画紙トレイにおける印画紙収納部の状態を透視することができるプリンタ装置及び印画紙トレイを、簡単な構成によって実現した。
【００１１】
以下、本発明の実施の形態を、添付図面を参照して説明する。図１〜図１６は、本発明の実施の形態の例を説明するものである。即ち、図１は本発明のプリンタ装置を示す説明図、図２はプリンタ本体を背面側から見た斜視図、図３はプリンタ本体の背面図、図４は印画紙トレイの第１の実施の例を示す斜視図、図５は印画紙トレイの側面図、図６はトレイ蓋体を開いた印画紙トレイの側面図、図７は印画紙トレイの平面図、図８は印画紙トレイの内部を覗いた説明図、図９は印画紙プロテクタの第１の実施の例を示す斜視図、図１０は印画紙プロテクタの正面図、図１１は印画紙プロテクタを断面した使用状態の説明図、図１２は印画紙プロテクタの第２の実施の例を示す斜視図、図１３は蓋体を開いた印画紙プロテクタの説明図、図１４及び図１５は印画紙プロテクタを断面した使用状態のそれぞれ説明図、図１６はプリンタ装置をＡＶラックに収納した状態を示す説明図である。
【００１２】
図１は、本発明のプリンタ装置の一実施例を示す昇華型熱転写方式のプリンタ装置の第１の実施の例を示すものである。このプリンタ装置１は、印画紙への印刷を実行するプリンタ本体２と、このプリンタ本体２を駆動制御すると共に各種の機能を発揮させる入力操作部３と、プリンタ本体２に着脱可能に装着される印画紙トレイ４と、同じくプリンタ本体２に着脱可能に装着される印画紙プロテクタ５等を備えて構成されている。プリンタ本体２は、接続コード６によってカメラアダプタ７と電気的に接続されており、このカメラアダプタ７とリモートコントロール装置（以下「リモコン装置」という。）８によって入力操作部３が構成されている。
【００１３】
カメラアダプタ７は、撮像装置の一具体例を示すデジタルスチルカメラ９が着脱可能に装着されるカメラ収納部１０を備えている。カメラ収納部１０の内部には、図示しないが、デジタルスチルカメラ９に設けられた接続端子と着脱可能に接続されるアダプタ側接続端子が設けられている。このアダプタ側接続端子は、図１に示すように、使用可能とされた所定のデジタルスチルカメラ９をカメラ収納部１０に装着することにより、自動的にカメラ側接続端子と電気的に接続される。これにより、カメラアダプタ７を介してデジタルスチルカメラ９がプリンタ本体２と電気的に接続される。このカメラアダプタ７は、デジタルスチルカメラ９のバッテリー電源に充電する機能を備えている。電源を切った状態でデジタルスチルカメラ９をカメラアダプタ７に装着することにより、そのバッテリー電源への充電が実行される。
【００１４】
リモコン装置８は、カメラアダプタ７を介してプリンタ本体２の動作を制御する入力部である。このリモコン装置８は、プリンタ本体２の動作を制御するために各種の入力手段を備えている。この入力手段としては、例えば、プリンタ本体２の電源をオン・オフ操作する電源スイッチ１１、印画動作を実行させるプリントボタン１２、再生時のズーム操作を行う再生ズームボタン１３、記録の再生や早送り、逆送り等を選択的に操作するコントロールボタン１４等を挙げることができる。このリモコン装置８の発光部をカメラアダプタ７の受光部に向けて入力手段を操作することにより、その指令信号がカメラアダプタ７に入力され、このカメラアダプタ７を介してプリンタ本体２に入力される。
【００１５】
プリンタ本体２は、長方形の細長い容器体からなるプリンタ筐体２０を備えている。プリンタ筐体２０には、その下半分を囲うように本体カバー２１が設けられている。この本体カバー２１は、主にデザインの観点から設けられたもので、プリンタ筐体２０の下面全体と、その下面に連続して左右側面の略下半分を覆うように形成されている。この本体カバー２１の両角部を含むプリンタ筐体２０の上下の両角部は、それぞれが適当な大きさの曲面として形成されており、全体として丸みを帯びて見えるようにデザイン化されている。
【００１６】
このプリンタ筐体２０の内部に、図示しないプリンタ機構部が内蔵されている。プリンタ機構部は、例えば、印画紙を所定の経路に沿って搬送する印画紙搬送機構と、搬送されてきた印画紙に対して印画作業を実行する印画ヘッドと、この印画ヘッドと隣接するように設置されていて印画ヘッドの働きにより含有するカラーインクを印画紙に転写させるインクリボンと、印画ヘッドや印画紙搬送機構その他機構、装置を駆動制御する制御装置等によって構成されている。
【００１７】
プリンタ筐体２０の長手方向の一側に印画紙トレイ４が着脱可能に装着され、その反対の他側に印画紙プロテクタ５が着脱可能に装着されている。このプリンタ筐体２０の印画紙トレイ４が着脱される側が装置の前側（前面）であり、この前側には棚状の張出し部２２が設けられている。張出し部２２の上下の角部は、プリンタ筐体２０の上下の両角部と同様に、適当な大きさの曲面として形成されている。この張出し部２２にトレイ用開口が開口されており、このトレイ用開口部とその内側の空間部によってトレイ収納部２３が構成されている。
【００１８】
このトレイ収納部２３に、印画紙トレイ４が着脱可能に装着されている。このトレイ収納部２３に装着された印画紙トレイ４の前面部である前側突出部３１ａが、トレイ用開口部に嵌り合って張出し部２２の一部となり、同一平面として連続された面を形成している。このトレイ収納部２３と対応する位置であってプリンタ筐体２０の張出し部２２に連続して一段奥まった端面部２０ａに、印刷途中の印画紙を通過させると共に印画作業が終了した印刷物を外部に排出する通紙口２４が設けられている。更に、張出し部２２の前面には、各種の状態を表示する電源ランプ２６とアクセスランプ２７とエラーランプ２８が横並びに配置されている。
【００１９】
これらの表示手段としては、例えば、次のような機能を持たせることができる。電源ランプ２６は、電源に関する情報を表示するもので、例えば、赤色及び黄緑色に点灯すると共に、黄緑色では点滅可能に構成する。そして、スタンバイ状態では赤く点灯し、電源が入った状態では黄緑に点灯し、プリント中では黄緑で点滅するようにする。アクセスランプ２７は、カメラアダプタ７に装着されるカメラの適否を表示するもので、例えば、任意の色で点灯状態と点滅状態を設定する。そして、カメラアダプタ７に所定のカメラが装着されているときには点灯し、所定以外のカメラが装着されているときには点滅させるようにする。
【００２０】
また、エラーランプ２８は、印画紙の状態を表示するもので、例えば、任意の色で点灯状態とゆっくりした点滅状態と速い点滅状態を設定する。これにより、印画紙がない状態では点灯し、印画紙が搬送途中に詰まっているときには速く点滅させる。そして、インクリボンが終わったか、或いはインクリボンが入っていない状態のときに、ゆっくり点滅させるようにする。このように構成することにより、プリンタ筐体２０の機能性を高め、使い勝手を向上させることができる。
【００２１】
印画紙トレイ４は、図４〜図７に示すような構成を有している。この印画紙トレイ４は、印画紙収納部３３を有するトレイ本体３１と、このトレイ本体３１に回動可能に支持されて印画紙収納部３３を開閉することができるトレイ蓋体３２とを備えている。トレイ本体３１は、前述した前記前側突出部３１ａと、上面に開口された偏平で長方形をなす容器体３１ｂとからなり、この容器体３１ａの長手方向の一端である前側に前側突出部３１ａが連続して形成されている。
【００２２】
印画紙収納部３３は、長方形の凹陥部からなり、複数枚（１０〜２０枚程度が好適である。）の印画紙３０を一度に収納することができる大きさに形成されている。この印画紙収納部３３を囲う容器体３１ｂの長手方向に対向された２つの短辺には、印画紙収納部３３に収納されている印画紙３０の取り出しや印画紙３０の透視等を容易にするための切欠き部３４がそれぞれ設けられている。
【００２３】
トレイ本体３１の容器体３１ｂと前側突出部３１ａを連続する部分には、容器体３１ｂの他の部分よりも幅広となるよう開口側に突出した一対の幅広部３１ｃ，３１ｃが設けられている。前側突出部３１ａは、幅広部３１ｃの上方に大きく突出し、その下方には小さく（プリンタ筐体２０の肉厚程度）突出している。そして、前側突出部３１ａの上下の角部は、プリンタ筐体２０の張出し部２２における上下の角部と同じ曲率半径を有する曲面によって形成されている。これにより、張出し部２２の表面に前側突出部３１ａの表面を一致させて同一面を形成し、印画紙トレイ４の装着時、その表面が張出し部２２の表面と同一面となるように構成している。
【００２４】
更に、図８に示すように、前側突出部３１ａには、内部を透視することができるように大きく形成された観察窓３５が設けられている。この観察窓３５は、前側突出部３１ａの相当部分を占める横長の開口部として形成されており、外から内部を覗き見るために透明な材料で作られた窓板３６が嵌め込まれている。この窓板３６は、二色成形によってトレイ本体３１と一体に形成してもよく、また、別個に設けた窓板３６を接着剤等で接合して固着する構成としてもよい。
【００２５】
トレイ本体３１の一対の幅広部３１ｃ，３１ｃの上部には、トレイ蓋体３２を回動自在に支持するための一対の軸部３７，３７が設けられている。一対の軸部３７，３７は、一対の幅広部３１ｃ，３１ｃの外面であって、同一軸心線上に配置されて互いに離反する方向である外側へそれぞれ突出するように形成されている。更に、一対の軸部３７，３７は、前側突出部３１ａの上部に設けられた蓋体支持部３８よりも背面側に配置されている。なお、前側突出部３１ａの上面から張出し部２２の上面に連続させて設けた凹部３９は、指先を引っ掛けるための凹部である。この凹部３９にユーザーが指先を引っ掛けて引くことにより、印画紙トレイ４をプリンタ本体２のトレイ収納部２３から容易に引き出すことができる。
【００２６】
トレイ蓋体３２は、トレイ本体３１の印画紙収納部３３の長手方向（前後方向）の両端部を除いて、残りの大部分を覆うことができる平板状で長方形をなすカバー部である上面部３２ａと、この上面部３２ａの長手方向と直交する幅方向の両側に連続する左右一対のアーム部である側面部３２ｂ，３２ｂとを有している。一対の側面部３２ｂ，３２ｂは、上面部３２ａの幅方向の両側において、９０度折り曲げられて立ち下げるように形成されている。各側面部３２ｂの前側端部３２ｃは、斜め上方に延在されて上面部３２ａの一面側へ突出するように形成されている。この一対の前側端部３２ｃ，３２ｃの各先端部に、それぞれ軸受穴４７が設けられている。
【００２７】
このトレイ蓋体３２の一対の側面部３２ｂ，３２ｂの一対の軸受穴４７，４７にトレイ本体３１の一対の軸部３７，３７を嵌合して軸支することにより、トレイ蓋体３２がトレイ本体３１に対して回動自在に取り付けられている。この一対の軸部３７，３７と一対の軸受穴４７，４７によって軸回動機構の一具体例が構成されている。なお、一対の軸部をトレイ蓋体３２に設け、一対の軸受穴をトレイ本体３１に設ける構成としてもよい。更に、トレイ本体３１とトレイ蓋体３２に、軸部と軸受穴を１つずつ設ける構成とすることもできる。
【００２８】
これにより、トレイ本体３１に対してトレイ蓋体３２は、図５及び図７に示すように印画紙収納部３３を閉じた状態と、図６に示すように印画紙収納部３３を開いた状態とを選択的に取ることができる。この場合、図６に示す印画紙収納部３３を全開した状態（逆立ちの状態）では、トレイ蓋体３２は略１２０度回動され、前側突出部３１ａの蓋体支持部３８によって前側から支持される。このとき、トレイ蓋体３２の重心Ｇの位置は、一対の軸部３７，３７の中心Ｏより距離Ｅだけトレイ前方の位置にある。これにより、トレイ蓋体３２は前倒しの状態となり、トレイ蓋体３２の重量が蓋体支持部３８に付与される。その結果、自重のみでトレイ蓋体３２を開放状態に維持することができる。
【００２９】
前記プリンタ筐体２０とトレイ本体３１及びトレイ蓋体３２の材質としては、例えば、ＡＢＳ（アクリロニトリル・ブタジエン・スチレン）樹脂が好適であるが、ＰＣ（ポリカーボネート）その他のエンジニアリングプラスチックを用いることができる。また、前記エンジニアリングプラスチックに代えて、アルミニウム合金やマグネシウム合金その他の金属を用いることもできる。
【００３０】
図３に示すように、プリンタ筐体２０の背面部２０ｂには、印画紙プロテクタ５を着脱可能に取り付けるためのプロテクタ取付部４０が設けられている。このプロテクタ取付部４０は、４つのフック穴４１と、１つの位置決め穴４２とによって構成されている。このプロテクタ取付部４０のための穴としては、少なくとも２つあればよく、その組み合わせとしては、２つのフック穴４１，４１の組み合わせであってもよく、また、１つのフック穴４１と１つの位置決め穴４２との組み合わせであってもよい。この実施例では、４つのフック穴４１を２組に分けて、上下方向及び左右方向にそれぞれ適当な間隔をあけて配置している。そして、上側に配置された２つのフック穴４１，４１の略中間部に位置決め穴４２が配置されている。
【００３１】
更に、プリンタ筐体２０の背面部２０ｂのプロテクタ取付部４０の下部には、印刷時に印画紙３０の一部が突出される開口穴４３が設けられている。開口穴４３は、印画紙３０の移動方向と直交する方向の断面形状よりも長手方向及び幅方向の双方において共に大きな横長の穴として形成されている。この開口穴４３を中心として４つのフック穴４１と１つの位置決め穴４２が略左右対称に配置されている。図３に示す符号４４は、プリンタ筐体２０の下面に取り付けられたマウントインシュレータ等からなる脚部材である。
【００３２】
プロテクタ取付部４０に取り付けられる印画紙プロテクタ５は、図９〜図１１に示すような構成を有している。この印画紙プロテクタ５は、プロテクタ取付部４０に取り付けられる直方体形状を有するブロック体として構成されている。この印画紙プロテクタ５は、長方形をなす上面部５ａと、この上面部５ａの長手方向である左右方向の両端に連続され且つ下方へ立ち下がるように形成された左右の側面部５ｂ，５ｃと、上面部５ａの長手方向と直交する幅方向の一端に連続され且つ下方へ立ち下がるように形成された後面部５ｄとを有している。この印画紙プロテクタ５の正面部と下面部は、それらの全面がそれぞれ開口されていて、正面部と下面部との境界部には桟部５ｅが設けられている。正面部に設けた開口部が、プリンタ筐体２０の開口穴４３に対向される連通穴５０を構成している。この連通穴５０の横方向の長さは、印画紙３０の幅よりも少し大きく設定されている。
【００３３】
印画紙プロテクタ５の左右の側面部５ｂ，５ｃの正面側の端面には、２つのフック部５１ａ，５１ｂが上下方向へ所定の間隔をあけてそれぞれ設けられている。そして、上面部５ａの正面側の端面の略中央部に位置決め凸部５２が設けられている。２つのフック部５１ａ，５１ｂは、Ｌ字状に形成された鉤状の部分からなっており、それぞれ先端側を下方に向けた状態に設定されている。また、位置決め凸部５２は、先端を細くした台形形状の突起状の部分からなっている。そして、２つのフック部５１ａ，５１ｂの上下方向の間隔と、左右方向に配置された２組のフック部５１ａ，５１ｂの左右方向の間隔が、プロテクタ取付部４０に見合う寸法関係に設定されている。
【００３４】
かくして、左右２組で合計４つのフック部５１ａ，５１ｂを４つの係合穴４１，４１にそれぞれ引っ掛けて掛け止めすると共に、位置決め凸部５２を位置決め穴４２に係合することにより、印画紙プロテクタ５がプロテクタ取付部４０に固定される。この取付状態では、印画紙プロテクタ５の下面は、プリンタ本体２の脚部材４４の下面と略同一平面となるように高さが調整されている。
【００３５】
また、印画紙プロテクタ５の上面部５ａの後面部５ｄ側には、印画紙３０が上方へ飛び出す動作を許容する開放穴５４が設けられている。開放穴５４は、横長とされた長方形の開口部からなり、その長手方向の長さは連通穴５０の長さと同等に設定されている。この開放穴５４と桟部５ｅとの間に３つの曲面ガイド部５５が掛け渡され、ブロック体と一体に構成されている。３つの曲面ガイド部５５は、略同じ幅を有する同一形状のものからなっている。このように、曲面ガイド部５５を３つ設けた主な理由は、印画紙プロテクタ５の軽量化を図るためであり、下面部の全面を覆うことができる１つの曲面ガイド部を設ける構成としてもよいことは勿論である。更に、曲面ガイド部は２つであっても良く、また、４つ以上であってもよい。
【００３６】
曲面ガイド部５５は、印刷時、プリンタ筐体２０の背面側に飛び出してくる印画紙３０の先端部をガイドして上方にスムース且つ滑らかに導くもので、そのような機能を発揮できる形状であれば各種の形状を適用することができる。この曲面ガイド部５５の曲面形状としては、例えば、上面を凹とした二次曲線、放物線、三次曲線、一次曲線等を挙げることができる。
【００３７】
このような構成を有する印画紙プロテクタ５（後述する印画紙プロテクタ７０も同様）の材質としては、例えば、ＡＢＳ（アクリロニトリル・ブタジエン・スチレン）樹脂、ＰＣ（ポリカーボネート）その他各種のエンジニアリングプラスチックを用いることができる。更に、前記エンジニアリングプラスチックに代えて、アルミニウム合金やマグネシウム合金その他の金属であってもよく、また、木材によって形成することもできる。なお、印画紙プロテクタ５を透明な材質のエンジニアリングプラスチックで形成することにより、印刷時における印画紙の搬送運動を、外部から透かして見ることが可能となる。
【００３８】
つぎに、本発明のプリンタ装置１の作用について説明する。プリンタ装置１を動作させる前に、印画紙トレイ４には、予め所定の印画紙を適当な数（例えば、１０〜２０枚程度）収納しておくようにする。この印画紙３０のセットは、図１において二点鎖線で示すように、プリンタ本体２から印画紙トレイ４を取り出して行う。プリンタ本体２から取り出した印画紙トレイ４は、図４、図５及び図７に示すように、印画紙収納部３３を覆った状態となっている。そこで、図６に示すように、トレイ蓋体３２を起こして印画紙収納部３３を開放する。これにより、印画紙収納部３３に印画紙３０を収納することが可能となる。
【００３９】
この際、トレイ本体３１とトレイ蓋体３２には、それらの連結部に傾斜部を設け、その傾斜部に設けた軸回動機構によって連結する構成としたため、トレイ蓋体３２を９０度以上に開放することが可能となる。その結果、印画紙収納部３３の全面が大きく開放されるため、印画紙３０の補充作業を容易に行うことができる。そして、印画紙収納部３３に印画紙３０を収納してから、再びトレイ蓋体３２を押し倒して印画紙収納部３３を覆うようにする。その後、この印画紙トレイ４を、プリンタ本体２のトレイ収納部２３に差し込むようにして装着する。
【００４０】
このようにして、印画紙収納部３３に印画紙３０を適宜枚数収納すると、この印画紙トレイ４の前側突出部３１ａには大きな観察窓３５が設けられており、その観察窓３５には透明な窓板３６が固定されている。そのため、プリンタ本体２に印画紙トレイ４が深く埋め込まれたような状態においても、ユーザーが外から観察窓３５を覗くことにより、窓板３６を透過させて内部の印画紙収納部３３を透視（覗き見る）することができる（図８を参照）。その結果、印画紙トレイ４の外部から、その内部に設けた印画紙収納部３３に印画紙３０が収納されているか否か、或いは印画紙３０がどの程度残量しているか等を、ユーザーが自分の目で見て容易に確認することができる。
【００４１】
しかも、この印画紙トレイ４の機能は、プリンタ本体２に印画紙トレイ４を差し込んだままの状態において奏することができるため、その効果は顕著である。一般に、用紙トレイは、その全体が不透明な材質によって形成されている。そのため、電子機器に用紙トレイが装着された状態では、その用紙収納部に用紙が収納されているか否かは勿論のこと、後何枚くらい残っているかを知ることができなかった。従って、用紙トレイに収納された用紙の状態を知るためには、一旦、プリンタ本体２から用紙トレイを引き出す必要があった。
【００４２】
これに対して、本実施例の印画紙トレイ４では、印画紙トレイ４の前側突出部３１ａに大きな観察窓３５を設けたため、この観察窓３５から内部を覗き見ることにより、印画紙３０の有無は勿論のこと、その残り枚数を大雑把に把握することが可能となり、印画紙３０切れ等の不具合の発生を防ぐことが可能となる。このような印画紙トレイ４が装着されたプリンタ本体２の背面に設けたプロテクタ取付部４０に印画紙プロテクタ５を取り付ける。
【００４３】
この印画紙プロテクタ５の取付作業は、次のようにして行うことができる。まず、プロテクタ取付部４０に印画紙プロテクタ５の前面である連通穴５０側を対向させ、４つのフック部５１ａ，５１ｂを４つの係合穴４１，４１に差し込むと共に、位置決め凸部５２を位置決め穴４２に差し込む。次いで、印画紙プロテクタ５を少し押し下げ、図１１に示すように、４つのフック部５１ａ，５１ｂの先端の爪部をプリンタ筐体２０の背面部２０ｂに噛み合せる。これにより、印画紙プロテクタ５がプリンタ筐体２０に取り付けられる。
【００４４】
このとき、印画紙プロテクタ５の連通穴５０を介して曲面ガイド部５５の下部がプロテクタ取付部４０の開口穴４３に対向される。そして、開口穴４３を介してプリンタ筐体２０の内部と印画紙プロテクタ５の内部とが連通される。更に、プリンタ筐体２０の開口穴４３の内側には、印画紙３０を搬送するための一対の搬送ローラ５７，５８が設けられている。一対の搬送ローラ５７，５８は、上下方向に対向するように設置されており、時計方向及び反時計方向に選択的に回動可能とされている。
【００４５】
一対の搬送ローラ５７，５８のうち少なくとも一方は、電動モータ等によって回転駆動される駆動ローラである。即ち、一対の搬送ローラ５７，５８は、その両者を駆動ローラとしてもよく、その場合には、２つの搬送ローラ５７，５８は互いに逆方向へ回動するように構成する。また、一対の搬送ローラ５７，５８のうち、駆動ローラは上下どちらの搬送ローラであってもよく、他方の搬送ローラは回転自在に構成する。
【００４６】
このようなプリンタ本体２を備えたプリンタ装置１は、図１に示すようなシステム構成を有している。即ち、プリンタ本体２が接続コード６を介してカメラアダプタ７に接続されている。このカメラアダプタ７にデジタルスチルカメラ９を装着し、そのデジタルスチルカメラ９に記憶されている被写体の画像をプリンタ本体２で印刷することにより、いわゆるカラー写真のような印刷物を得ることができる。
【００４７】
この場合、プリンタ本体２等の作動は、リモコン装置８の入力操作によって実行される。例えば、リモコン装置８の電源スイッチ１１をオンする操作をした後、コントロールボタン１４を操作して、デジタルスチルカメラ９の表示部に、予め撮影した所望の被写体の画像を映し出す。次に、プリントボタン１２をオンする操作をして、表示部に表示された画像を印刷するように信号を発信する。これにより、印刷動作を実行するための信号が、カメラアダプタ７を介してプリンタ本体２に供給され、プリンタ機構部が印刷動作を開始する。
【００４８】
これにより、プリンタ機構部が所定の印刷動作を実行し、まず、印画紙トレイ４から１枚の印画紙３０を取り出すと共に、その印画紙３０を印刷部に供給する。印刷部では、被写体の画像に基づいて分解された３色（イエローとシアンとマゼンタ）を、１色ずつ逐次的に印画紙３０に印刷する。この場合の印刷は、例えば、まず、第１の色としてイエローを印画紙３０の全面に印刷し、次に、第２の色としてシアンをイエローの上から印画紙３０の全面に印刷する。次いで、第３の色としてマゼンタをシアンの上から印画紙３０の全面に印刷し、最後に、３色が塗り重ねられた上から印画紙表面の全面に透明ラミネートを塗布する。これにより、印画紙表面の全面が透明ラミネートによって保護された、いわゆるカラー写真のような印刷物が作られる。
【００４９】
この際、印画紙３０は、各色を印刷する毎に印画紙搬送機構によって印画ヘッドとインクリボンの間を往復移動される。従って、１枚のカラー印刷物を作成するために印画紙３０は、印画ヘッドの前を４往復することになる。この往復移動時、１つの色の印刷が終了すると、印画紙３０が反対側の通紙口２４側に搬送される。これにより、印画紙３０の一端が、図１１において二点鎖線で示すように、プリンタ筐体２０の背面部２０ｂの下部に設けた開口穴４３から筐体外に一時的に飛び出し、印画紙プロテクタ５の連通穴５０からその内部に入り込む。
【００５０】
印画紙プロテクタ５内に入り込んだ印画紙３０の一端は、曲面ガイド部５５にガイドされてその曲面に沿って移動する。印画紙３０が所定位置まで移動すると、印画紙搬送機構による印画紙プロテクタ５側への印画紙３０の搬送動作が停止される。この場合、印画紙３０の一端は、曲面ガイド部５５によって徐々に上方へと導かれ、開放穴５４に近づき、紙の長さによっては開放穴５４を貫通して上方に飛び出す。この際、印画紙３０が弾性変形して湾曲しながら、曲面ガイド部５５に導かれて上方へ移動するため、平面方向から見た印画紙３０の移動範囲を小さくすることができ、印画紙３０の移動範囲を最小に設定することができる。
【００５１】
図１６は、液晶テレビ６１とオーディオＤＶＤ(Digital Versatile Disc)システム６２とを組み合わせたシステム装置６０の一部としてプリンタ装置１を用いた例を示すものである。液晶テレビ６１は、２枚の棚板６３ａ，６３ｂを有するテレビラック６３の上面に載置されている。テレビラック６３の１段目の棚板６３ａには、プリンタ装置１とオーディオＤＶＤ(Digital Versatile Disc)プレーヤ６２ａが載置されている。また、テレビラック６３の２段目の棚板６３ｂには、スピーカ装置６２ｂが載置されている。このスピーカ装置６２ｂとオーディオＤＶＤプレーヤ６２ａによってオーディオＤＶＤシステム６２が構成されている。このようなシステム装置６０に、本発明に係るプリンタ装置１を使用する場合には、印画紙プロテクタ５の無い従来のプリンタ装置に比べて、奥行きスペースの小さいプリンタ装置１として使用することが可能となる。
【００５２】
しかも、プリンタ筐体２０から飛び出した印画紙３０の先端部は、印画紙プロテクタ５の曲面ガイド部５５による滑らかな曲面によって保持されるため、その先端部が傷付けられたり、曲がったりすることがない。更に、印画紙３０の先端部に汚れが付いたり、ゴミやホコリが付着したりすることがなく、印画紙３０をしっかりと保護することができる。なお、印画紙プロテクタ５は着脱式であるため、ユーザーの好みに応じて、印画紙プロテクタ５を外して、プリンタ装置１を使用することができることは勿論である。
【００５３】
また、このプリンタ本体２は、その左右方向を垂直方向に向けた状態、いわゆる縦置き状態として使用することも可能である。この場合は、例えば、プリント筐体２０の一方の側面にスタンド部材を取り付け、そのスタンド部材で立ち上げるように支持する構成とする。この場合には、プリンタ本体２の設置スペースを更に狭く小さいものとすることができる。
【００５４】
印画作業が終了した印刷物は、プリンタ本体２のプリンタ筐体２０の前面に設けた通紙口２４から取り出される。この際、通紙口２４からは、印刷物が所定長さだけ突出されるが、通紙口２４の前側には、プリンタ筐体２０の前部を突出させることによって棚のような張出し部２２が設けられており、この張出し部２２の上面に印刷物が一時的に支持される。そのため、印刷物が飛び出してプリンタ本体２から外へ落下するのを防ぐことができる。このように、本実施例の印画紙プロテクタ５によれば、印刷面がプリンタ本体２の載置面に接触して擦られたり、折り曲げられたりして傷つけられるのを防ぐことができる。
【００５５】
図１２〜図１５は、本発明の印画紙プロテクタの第２の実施の例を示すものである。この第２の実施の例に係る印画紙プロテクタ７０は、前記第１の実施の例で示した印画紙プロテクタ５の開放穴５４に蓋体７１を開閉可能に設ける構成としたものである。蓋体７１は、開放穴５４に見合う長方形の板体として形成されており、枢軸７２によって回動自在に支持されている。枢軸７２は、印画紙プロテクタ７０の左右方向の長さと同じ長さを有する丸棒状の軸部材からなり、蓋体７１の幅方向の一側において長手方向へ貫通されている。そして、蓋体７１の長手方向の両端から突出する枢軸７２の両端部が、印画紙プロテクタ７０の開放穴５４の縁部分に両端支持されている。
【００５６】
蓋体７１の内面には、印画紙３０の先端をガイドする３つのガイド突条７３が設けられている。３つのガイド突条７３は、蓋体７１の長手方向に適当な間隔をあけて配置されている。これらのガイド突条７３に対応して、印画紙プロテクタ７０の後面部５ｄの上縁部には、ガイド突条７３と緩く噛み合う逃げ溝７４が３箇所に設けられている。なお、開放穴５４は、蓋体７１の自重によって閉じる構成としてもよく、また、図示しない捩りコイルばねを用いて適当なばね力を付与し、蓋体７１を閉じる方向へ緩く（大きな抵抗力とならない程度）付勢する構成としてもよい。その他の構成は前記実施の例と同様であるため、同一部分には同一の符号を付して、重複した説明を省略する。
【００５７】
このような構成を有する印画紙プロテクタ７０を使用する場合には、前述した印画紙プロテクタ５と同様にして、プリンタ本体２に取り付けることができる。この印画紙プロテクタ７０の使用時、図１４に示すように、印刷していない状態、或いは、印刷時であっても印画紙３０が蓋体７１の位置まで到達しない状態では、開放穴５４が蓋体７１の自重によって或いは弾性体の付勢力によって閉じられているため、その開放穴５４からゴミやホコリ等が入り込むのを防止することができる。
【００５８】
また、図１５に示すように、印刷している状態において、印画紙３０が蓋体７１の位置まで達すると、その印画紙３０を搬送する一対の搬送ローラ５７，５８の搬送力等によって蓋体７１が押し上げられる。これにより、印刷距離の長い印画紙であっても、その印画紙を所定の距離だけ搬送させて、印画紙３０の全面を印刷することが可能となる。しかも、この場合には、印画紙３０が蓋体７１の位置まで搬送されるとき以外は、開放穴５４が蓋体７１によって閉じられるため、印画紙プロテクタ７０を介して開口穴４３からプリンタ筐体２０内にゴミやホコリ等が入り込むのを防止することができる。
【００５９】
また、図１５に示すように、印画紙プロテクタ７０の蓋体７１は、その開放状態において、先端部がプリンタ筐体２０の高さ以内となるように設定し、プリンタ筐体２０の上面と蓋体７１の先端との間に適当な大きさの隙間Ｔができるように構成する。このように構成することにより、例えば、プリンタ本体２を、その左右方向を垂直に向けた状態、いわゆる縦置き状態で使用する場合においても、開かれた蓋体７１が他の装置と干渉することを防止することが可能となる。
【００６０】
以上説明したように、プリンタ本体に対して印画紙トレイを組み込み式として構成したため、印画紙トレイをプリンタ本体に埋め込むようにして使用することができる。これにより、印画紙トレイをプリンタ本体と一体的にデザイン化することができ、新しい形態のプリンタ装置を提供することができる。
【００６１】
更に、プリンタ本体に印画紙プロテクタを装着することにより、プリンタ装置を設置する際に、従来のように背面に適当な大きさの空間を設定する必要がなく、プリンタ本体の背面をラックの壁面等に当たるまで差し込んで置くことができる。そして、印刷時の印画紙を印画紙プロテクタによって上方へ誘導するため、この印画紙プロテクタの無いプリンタ本体に比べて、奥行き方向の長さを短くすることができ、設置面積を小さなものとすることができる。また、印画紙プロテクタが着脱式であることから、例えば、長期間使用しない場合には、印画紙プロテクタを外しておくことにより、プリント本体の奥行き長さを短くして収納性を良くすることができる。しかも、印画紙プロテクタを外したままであっても、プリンタ装置としての機能を損なうことがない。
【００６２】
本発明は、前述しかつ図面に示した実施の形態に限定されるものではなく、その要旨を逸脱しない範囲内で種々の変形実施が可能である。例えば、前記実施例においては、撮像装置としてデジタルスチルカメラを適用した例について説明したが、デジタルビデオカメラ、カメラ付きパーソナルコンピュータ、カメラ付き携帯電話その他の撮像装置にも適用できるものである。
【図面の簡単な説明】
【００６３】
【図１】本発明のプリンタ装置の第１の実施の例を示す説明図である。
【図２】本発明のプリンタ装置に係るプリンタ本体の第１の実施の例を示す背面側から見た斜視図である。
【図３】本発明のプリンタ装置に係るプリンタ本体を示す背面図である。
【図４】本発明のプリンタ装置に係る印画紙トレイの第１の実施の例を示す斜視図である。
【図５】本発明のプリンタ装置に係る印画紙トレイを示す側面図である。
【図６】本発明のプリンタ装置に係る印画紙トレイを示すもので、図５の状態からトレイ蓋体を開いた状態の側面図である。
【図７】本発明のプリンタ装置に係る印画紙トレイを示す平面図である。
【図８】本発明のプリンタ装置に係る印画紙トレイを示すもので、縦方向に断面した説明図である。
【図９】本発明のプリンタ装置に係る印画紙プロテクタの第１の実施の例を示す斜視図である。
【図１０】本発明のプリンタ装置に係る印画紙プロテクタの第１の実施の例を示す正面図である。
【図１１】本発明のプリンタ装置に係る印画紙プロテクタの取付状態を説明する一部を断面した説明図である。
【図１２】本発明のプリンタ装置に係る印画紙プロテクタの第２の実施の例を示す斜視図である。
【図１３】本発明のプリンタ装置に係る印画紙プロテクタの第２の実施の例を示すもので、蓋体を開いた斜視図である。
【図１４】本発明のプリンタ装置に係る印画紙プロテクタの取付状態を説明するもので、蓋体が閉じた状態の一部を断面した説明図である。
【図１５】本発明のプリンタ装置に係る印画紙プロテクタの取付状態を説明するもので、印画紙で蓋体を開いた状態の一部を断面した説明図である。
【図１６】本発明のプリンタ装置の使用状態を示す説明図である。
【符号の説明】
【００６４】
１…プリンタ装置、  ２…プリンタ本体、  ３…入力操作部、  ４…印画紙トレイ、  ５，７０…印画紙プロテクタ、  ７…カメラアダプタ、  ９…デジタルスチルカメラ（撮像装置）、  ２０…プリンタ筐体、  ２１…本体カバー、  ２２…張出し部、  ２３…トレイ収納部、  ２４…通紙口、  ３０…印画紙、  ３１…トレイ本体、  ３１ａ…前側突出部（前面部）、  ３１ｂ…容器体、  ３１ｃ…幅広部、  ３２…トレイ蓋体、  ３２ａ…上面部（カバー部）、  ３２ｂ…側面部（アーム部）、  ３３…印画紙収納部、  ３５…観察窓、  ３６…窓板、  ３７…軸部、  ３８…蓋体支持部、  ４０…プロテクタ取付部、  ４１…フック穴、  ４３…開口穴、  ４７…軸受穴、  ５０…連通穴、  ５１ａ，５１ｂ…フック部、  ５２…位置決め凸部、  ５４…開放穴、  ５５…曲面ガイド部、  ５７，５８…搬送ローラ、  ７１…蓋体
【図１】
2008201054.tif 000003
【図２】
2008201054.tif 000004
【図３】
2008201054.tif 000005
【図４】
2008201054.tif 000006
【図５】
2008201054.tif 000007
【図６】
2008201054.tif 000008
【図７】
2008201054.tif 000009
【図８】
2008201054.tif 000010
【図９】
2008201054.tif 000011
【図１０】
2008201054.tif 000012
【図１１】
2008201054.tif 000013
【図１２】
2008201054.tif 000014
【図１３】
2008201054.tif 000015
【図１４】
2008201054.tif 000016
【図１５】
2008201054.tif 000017
【図１６】
2008201054.tif 000018